(57)【要約】【課題】紙目情報に基づいて後処理を行い得る後処理装置及び画像形成システムを提供する。【解決手段】画像形成装置１０から排紙された用紙Ｐに対して後処理を行う後処理装置２０であって、画像形成装置１０には給紙トレイ４が設けられ、給紙トレイ４ごとに対応付けて設定された用紙情報を記憶する記憶部７と、記憶された用紙情報に基づき、前記後処理に用いる調整量を後処理の内容に応じて切り替える後処理制御部２６と、を備える後処理装置２０とする。【選択図】図３
2010001092.tif 000002
【特許請求の範囲】
【請求項１】
画像形成装置から排紙された用紙に対して後処理を行う後処理装置であって、
前記用紙の紙目の情報に基づいて、前記後処理に用いる調整量を切り替える制御部を備えた後処理装置。
【請求項２】
前記制御部は、前記用紙の紙目の情報と前記後処理に用いる調整量とが予め対応付けられたテーブルを参照して、前記調整量を切り替える請求項１に記載の後処理装置。
【請求項３】
前記後処理は、パンチ処理、折り処理、糊塗布処理及び断裁処理のうち、少なくとも１つを含む請求項１又は２に記載の後処理装置。
【請求項４】
前記制御部は、前記後処理の内容に応じて、前記後処理に用いる調整量を切り替える請求項３に記載の後処理装置。
【請求項５】
前記制御部は、前記後処理がパンチ処理である場合、前記用紙の紙目の情報に基づいて、パンチ位置を調整する請求項１〜４の何れか一項に記載の後処理装置。
【請求項６】
前記制御部は、前記後処理が折り処理である場合、前記用紙の紙目の情報に基づいて、折り処理に費やす時間を調整する請求項１〜５の何れか一項に記載の後処理装置。
【請求項７】
前記制御部は、前記後処理が糊塗布処理である場合、前記用紙の紙目の情報に基づいて、糊塗布回数を調整する請求項１〜６の何れか一項に記載の後処理装置。
【請求項８】
前記制御部は、前記後処理が断裁処理である場合、前記用紙の紙目の情報に基づいて、断裁時の電流値を調整する請求項１〜７の何れか一項に記載の後処理装置。
【請求項９】
用紙に対して画像を形成する画像形成装置と、前記画像形成装置から排紙された用紙に対して後処理を行う後処理装置と、を備えた画像形成システムであって、
前記画像形成装置は、
前記用紙に対して画像を形成する画像形成部を備え、
前記後処理装置は、
前記用紙の紙目の情報に基づいて、前記後処理に用いる調整量を当該後処理の内容に応じて切り替える制御部を備える画像形成システム。
【発明の詳細な説明】
【技術分野】
【０００１】
本発明は、後処理装置及び画像形成システムに関する。
【背景技術】
【０００２】
複写機やプリンタ等の画像形成装置で用いられる用紙には紙目が存在する。
紙目とは紙の繊維方向をいい、「縦目」と「横目」とがある。縦目は、繊維方向が紙幅の長い辺に平行しており、短い辺に対して垂直である紙目をいう。また、横目は、縦目の逆で、繊維方向が紙幅の長い辺に対して垂直であって、短い辺に平行している紙目をいう。
こうした用紙の紙目の情報（以下、「紙目情報」という）は、後処理を精度良く行う場合に特に重要となるが、ユーザが用紙の紙目を一目で判別することは困難である。
【０００３】
特許文献１によれば、用紙のサイズと紙目とを一義的に定めた紙目情報を記憶し、記憶している紙目情報を対象画像とともに用紙に画像形成する画像形成装置が開示されている。これにより、ユーザは、用紙に画像形成された紙目情報を見て容易に紙目を判別することができる。
【特許文献１】特開平５−３２７９４８号公報
【発明の開示】
【発明が解決しようとする課題】
【０００４】
しかし、特許文献１の画像形成装置では、紙目情報を後処理の制御に用いることはできず、紙目が縦目であっても横目であっても、後処理では一律に同じ制御が行われる。よって、後処理を行った後に得られた物（以下、「後処理成果物」という）の品質にばらつきが生じる。
【０００５】
本発明の目的は、用紙の紙目情報に基づいて、後処理を行い得る後処理装置及び画像形成システムを提供することである。
【課題を解決するための手段】
【０００６】
請求項１に記載の発明によれば、
画像形成装置から排紙された用紙に対して後処理を行う後処理装置であって、
前記用紙の紙目の情報に基づいて、前記後処理に用いる調整量を切り替える制御部を備える後処理装置が提供される。
【０００７】
請求項８に記載の発明によれば、
用紙に対して画像を形成する画像形成装置と、前記画像形成装置から排紙された用紙に対して後処理を行う後処理装置と、を備えた画像形成システムであって、
前記画像形成装置は、
前記用紙に対して画像を形成する画像形成部を備え、
前記後処理装置は、
前記用紙の紙目の情報に基づいて、前記後処理に用いる調整量を当該後処理の内容に応じて切り替える制御部を備える画像形成システムが提供される。
【発明の効果】
【０００８】
本発明によれば、用紙の紙目の情報に基づいて後処理で用いる調整量を切り替えることができ、切り替えた調整量を用いて後処理を行うことができる。従って用紙の紙目の情報に応じて適切な後処理が行われ、高品質の後処理成果物を生成することができる。
【発明を実施するための最良の形態】
【０００９】
以下、本実施形態における画像形成装置について最適な構成及び動作について図面を用いて詳細に説明する。
まず、構成を説明する。
図１に、画像形成システム１００の概略断面図を示す。
画像形成システム１００は、画像形成装置１０及び後処理装置２０を備えて構成される。
【００１０】
画像形成装置１０は、読取部１、画像形成部２、搬送部３、給紙トレイ４、操作表示部５等を備えて構成される。
読取部１は、コンタクトガラス、プラテンガラス、光源、ミラー、集光レンズ、ＣＣＤ等の光学系を備えて構成される。読取部１は、上記光学系により読取用のトレイに置かれた原稿Ｆの画像を電気信号に変換し、変換した電気信号を画像形成部２に出力する。
【００１１】
画像形成部２は、画像形成処理部２ａ、加熱定着部２ｂ等を備えて構成される。
画像形成処理部２ａは、レーザユニット、感光体、帯電装置、現像装置、転写装置、分離装置、クリーニング装置等を備えて構成される。画像形成処理部２ａは、上記装置を用いて、用紙Ｐ上にトナー像を転写する。加熱定着部２ｂは、用紙Ｐ上に転写されたトナー像を熱及び圧力により加熱定着する。
【００１２】
搬送部３は、搬送経路、切り替え爪、反転ローラ等を備えて構成される。搬送経路は用紙Ｐを画像形成処理部２ａ、加熱定着部２ｂに搬送し、その後、後処理装置２０に搬送する。また、切り替え爪は、搬送される用紙Ｐの搬送経路を切り替える。また、反転ローラは、搬送される用紙Ｐの表裏を反転させる。
【００１３】
給紙トレイ４は、複数の給紙トレイ４ａ〜４ｆを備えて構成される。
給紙トレイ４は、各給紙トレイに複数かつ異なる種類の用紙Ｐを収容し、搬送部３を介して用紙Ｐを画像形成部２に供給する。  
【００１４】
操作表示部５は、ＬＣＤ（Liquid Crystal Display）及びタッチパネル等を備えて構成され、各種設定画面を表示してユーザから入力される各種設定を受け付ける。
操作表示部５によって表示される各種設定画面には、例えば給紙トレイ４に格納される用紙Ｐの設定画面がある。
【００１５】
図２に、給紙トレイ４に格納される用紙Pの設定画面Ｇ１を示す。
なお、図２に示す設定画面Ｇ１は、給紙トレイ４（４ａ〜４ｆ）ごとに表示される設定画面である。ユーザは、給紙トレイ４ごとに、設定画面Ｇ１において用紙Ｐの設定情報（以下、「用紙情報」という）を入力する。入力された用紙情報は、後述する記憶部に記憶される。
【００１６】
設定画面Ｇ１には、用紙種類設定ボタンＢ１、用紙名称設定ボタンＢ２、斤量設定ボタンＢ３、表裏調整ボタンＢ４、プロセス調整ボタンＢ５、速度設定ボタンＢ６、ＯＫボタンＢ７、パンチ穴設定領域Ｅ１、色紙設定領域Ｅ２、紙目設定領域Ｅ３等が表示される。
【００１７】
ここで、紙目設定領域Ｅ３は、用紙Ｐの紙目として、縦目の設定を受け付ける縦目ボタンＢ３１と、横目の設定を受け付ける横目ボタンＢ３２を有する。紙目設定領域Ｅ３において選択された用紙Ｐの紙目（縦目又は横目）の情報は、紙目情報として後述する記憶部に記憶される。
【００１８】
後処理装置２０は、パンチ処理部２１、折り処理部２２、糊塗布処理部２３、断裁処理部２４等を備えて構成される。また、後処理装置２０は、各種後処理を行った用紙Ｐを排紙する排紙トレイ２５を備える。
【００１９】
パンチ処理部２１は、穿孔ユニットを備え、画像形成装置１０から搬送されてきた用紙Ｐを一旦停止させ、穿孔ユニットによって用紙Ｐの端部にパンチ穴を開ける処理を行う。
折り処理部２２は、折りローラ、折りナイフ等を備え、画像形成装置１０から搬送されてきた用紙Ｐの束に対して、折り処理を行う。折り処理には、用紙Ｐの搬送方向の中央部を折る中央折り処理、３つ折り処理、Ｚ折り処理等がある。
糊塗布処理部２３は、糊ローラを備え、画像形成装置１０から搬送されてきた用紙Ｐの糊付けを行う。糊付けの際は、折り処理も合わせて行うとしてもよい。
断裁処理部２４は、画像形成装置１０から搬送されてきた用紙Ｐの断裁を行う。断裁処理部２４は、断裁時の電流値を増減させて、断裁の力加減を調整する。
【００２０】
図３に、画像形成システム１００の制御ブロック図を示す。
画像形成装置１０は、読取部１、画像形成部２、搬送部３、給紙トレイ４、操作表示部５、制御部６、記憶部７、通信部８等を備えて構成される。
なお、図１に示した各部と同一の構成には同一の符号を付して、ここでの説明は省略する。
【００２１】
制御部６は、ＣＰＵ（Central Processing Unit）、ＲＯＭ、ＲＡＭ等から構成される。
制御部６は、ＲＯＭに格納されているプログラムを読み出してＲＡＭに展開し、展開したプログラムとの協働により各種処理及び画像形成装置１０の各部を集中制御する。
例えば、制御部６は、設定画面Ｇ１（図２参照）で入力された紙目情報を給紙トレイ４ごとに対応付けて記憶部７に記憶させる。
また、制御部６は、後処理装置２０によって行われる後処理の内容や紙目情報等に基づいて、給紙トレイ４の何れかから後処理に適切な用紙Ｐを給紙させる。
【００２２】
記憶部７は、磁気的、光学的記憶媒体若しくは半導体メモリで構成される電気的消去及び書き換え可能な不揮発性の記憶媒体で構成される。
また、記憶部７は、給紙トレイ４ごとに対応付けた紙目情報を記憶する。
【００２３】
通信部８は、モデム、ＴＡ（Terminal Adapter）、ルータ等から構成される。
通信部８は、後処理装置２０に搬送される用紙Ｐの紙目情報や後処理を指示する指示情報を送信する一方、後処理装置２０から送信される各種情報を受信して、後処理装置２０との通信を行う。
【００２４】
後処理装置２０は、パンチ処理部２１、折り処理部２２、糊塗布処理部２３、断裁処理部２４、後処理制御部２６、記憶部２７、通信部２８等を備えて構成される。
なお、図１に示した各部と同一の構成には同一の符号を付して、ここでの説明は省略する。
【００２５】
後処理制御部２６は、ＣＰＵ、ＲＯＭ、ＲＡＭ等から構成される。
後処理制御部２６は、ＲＯＭに格納されているプログラムに基づいて、各部を駆動制御して用紙Ｐに所定の後処理を行い、排紙トレイ２５に後処理成果物を排紙する。
記憶部２７は、後処理装置２０の各部の制御を行うための各種プログラムを記憶する。
また、記憶部２７は、後処理を実行する際の各種テーブル（図８、図１４等参照）を記憶する。なお後述するが、各種テーブルには、後処理が紙目情報に基づいて行われる場合の調整量等が含まれる。  
通信部２８は、モデム、ＴＡ、ルータ等によって構成され、画像形成装置１０との通信を行う。
【００２６】
次に、動作について説明する。
図４に、コピー時画像形成処理を示す。
制御部６は、操作表示部５又は外部装置等から入力される指示に従って、画像形成モードの設定を受け付ける（ステップＳ１）。
画像形成モードとは画像を用紙Ｐに形成させる際のモードであって、その設定には、例えば用紙サイズの設定や後処理に用いる用紙Ｐの紙目情報の設定、両面印刷の設定、拡大／縮小の設定等がある。
制御部６は、受け付けた画像形成モードの設定をＲＡＭ等に一時的に記憶する。
【００２７】
制御部６は、操作表示部５又は外部装置等から、読取部１に置かれた原稿Ｆの読取開始指示があるか否か判断する（ステップＳ２）。
読取開始指示がない場合（ステップＳ２；Ｎ）、制御部６は、指示があるまで待機する。読取開始指示があった場合（ステップＳ２；Ｙ）、制御部６は、原稿Ｆのサイズについて確定済みか否か判断する（ステップＳ３）。
【００２８】
原稿Ｆのサイズについて確定済みでない場合（ステップＳ３；Ｎ）、制御部６は、再度原稿Ｆのサイズについて確定済みか否か判断する。
原稿Ｆのサイズについて確定済みである場合（ステップＳ３；Ｙ）、制御部６は、給紙トレイ選択処理を行う（ステップＳ４）。
【００２９】
図５に、給紙トレイ選択処理を示す。
給紙トレイ選択処理では、ステップＳ１で設定されたサイズの用紙Ｐを格納する給紙トレイ４が選択される。また、合わせて、適切な紙目の用紙Ｐを格納する給紙トレイ４が選択される。
【００３０】
制御部６は、ステップＳ１で設定されたサイズの用紙Ｐを格納する給紙トレイ４があるか否か判断する（ステップＳ４１）。なお、各給紙トレイ４が格納する用紙サイズの情報は、予め記憶部７に記憶されているものとする。
【００３１】
該当する給紙トレイ４がない場合（ステップＳ４１；Ｎ）、制御部６は、有効給紙トレイなしに設定した有効給紙トレイ有無情報を生成して記憶部７に記憶し（ステップＳ４２）、給紙トレイ選択処理を終了する。
該当する給紙トレイ４がある場合（ステップＳ４１；Ｙ）、制御部６は、用紙情報（図２参照）を取得する（ステップＳ４３）。
【００３２】
制御部６は、取得した用紙情報において、紙目情報が設定されているか否か判断する。つまり、制御部６は、紙目情報に基づいて給紙処理を行う必要があるか否か判断する（ステップＳ４４）。
紙目情報に基づいて給紙処理を行う必要がない場合（ステップＳ４４；Ｎ）、制御部６は、ステップＳ４７に移行する。
紙目情報に基づいて給紙処理を行う必要がある場合（ステップＳ４４；Ｙ）、制御部６は、ステップ４１で該当すると判断した給紙トレイ４の紙目情報を取得する（ステップＳ４５）。
【００３３】
制御部６は、取得した紙目情報とステップＳ１で設定された後処理に用いる用紙Ｐの紙目情報とが一致するか否か判断する（ステップＳ４６）。
一致しない場合（ステップＳ４６；Ｎ）、つまり、ステップＳ４１で該当すると判断した給紙トレイ４に適切な紙目の用紙Ｐがない場合、制御部６は、ステップＳ４２に移行する。
一致する場合（ステップＳ４６；Ｙ）、つまり、ステップＳ４１で該当すると判断した給紙トレイ４に適切な紙目の用紙Ｐがある場合、制御部６は、有効給紙トレイありに設定した有効給紙トレイ有無情報を生成して記憶部７に記憶し（ステップＳ４７）、給紙トレイ選択処理を終了する。
【００３４】
図４に戻り、制御部６は、有効給紙トレイ有無情報に基づいて、有効給紙トレイがあるか否か判断する（ステップＳ５）。
有効給紙トレイがない場合（ステップＳ５；Ｎ）、制御部６は、ステップＳ７に移行する。
有効給紙トレイがある場合（ステップＳ５；Ｙ）、制御部６は、画像形成処理を開始する（ステップＳ６）。
なお、画像形成した用紙Ｐに対して後処理を行う場合、制御部６は、画像形成した用紙Ｐを後処理装置２０に搬送するとともに、後処理の指示情報を送信する。画像形成処理における後処理については後述する。
【００３５】
制御部６は、画像形成処理が終了したか否か判断する（ステップＳ７）。
終了していない場合（ステップＳ７；Ｎ）、制御部６は、ステップＳ４に移行する。
終了した場合（ステップＳ７；Ｙ）、コピー時画像形成処理を終了する。
【００３６】
図６に、プリント時画像形成処理を示す。
制御部６は、操作表示部５又は外部装置等から入力される指示に従って、画像形成モードの設定を受け付ける（ステップＳ１１）。
【００３７】
制御部６は、操作表示部５又は外部装置等から、給紙トレイ４にある用紙Ｐの用紙サイズについて確定済みか否か判断する（ステップＳ１２）。
【００３８】
用紙Ｐのサイズについて確定済みでない場合（ステップＳ１２；Ｎ）、制御部６は、再  度用紙Ｐのサイズについて確定済みか否か判断する。
用紙Ｐのサイズについて確定済みである場合（ステップＳ１２；Ｙ）、制御部６は、給紙トレイ選択処理を行う（ステップＳ１３）。
なお、ステップＳ１３で行う給紙トレイ選択処理は、図５に示した給紙トレイ選択処理と同様であるため、ここでの説明は省略する。
【００３９】
制御部６は、有効給紙トレイ有無情報に基づいて、有効給紙トレイがあるか否か判断する（ステップＳ１４）。
有効給紙トレイがない場合（ステップＳ１４；Ｎ）、制御部６は、ステップＳ１６に移行する。
有効給紙トレイがある場合（ステップＳ１４；Ｙ）、制御部６は、画像形成処理を開始する（ステップＳ１５）。
【００４０】
制御部６は、画像形成処理が終了したか否か判断する（ステップＳ１６）。
画像形成処理が終了していない場合（ステップＳ１６；Ｎ）、制御部６は、ステップＳ１３に移行する。
画像形成処理が終了した場合（ステップＳ１６；Ｙ）、プリント時画像形成処理を終了する。
【００４１】
次に、画像形成処理（図４；ステップＳ６、図６；ステップＳ１５参照）に後処理が含まれる場合、当該後処理の動作について説明する。
まず、図７〜図１５を参照して、後処理がパンチ処理である場合について説明する。
【００４２】
図７に、穿孔ユニット待機位置移動処理を示す。
穿孔ユニット待機位置移動処理では、パンチ穴を開ける穿孔ユニットを穿孔予定位置付近に予め移動させる処理が行われる。
【００４３】
後処理制御部２６は、穿孔ユニットの待機位置を移動させる指示があるか否か判断する（ステップＳ２１）。
【００４４】
待機位置移動指示がない場合（ステップＳ２１；Ｎ）、後処理制御部２６は、移動させる指示があるまで待機する。
待機位置移動指示があった場合（ステップＳ２１；Ｙ）、後処理制御部２６は、用紙情報を画像形成装置１０から取得する（ステップＳ２２）。
【００４５】
後処理制御部２６は、取得した用紙情報に含まれる用紙サイズの情報に基づいて、待機位置までの理論値移動量を取得し（ステップＳ２３）、取得した理論値移動量だけ穿孔ユニットを移動させる（ステップＳ２４）。
なお、待機位置までの理論値移動量とは、具体的には用紙Ｐの端面からの移動距離[ｍｍ]である。また、待機位置までの理論値移動量の情報は、用紙サイズの情報と対応付けて記憶部２７に予め記憶されている。
【００４６】
図８に、待機位置までの理論値移動量と用紙サイズとが対応付けられたテーブルＴ１を示す。
テーブルＴ１によれば、例えば用紙サイズが「５．５＊８．５Ｓ」の場合、理論値移動量は１０．５[ｍｍ]である。よって、後処理制御部２６は、穿孔ユニットを用紙Ｐの端面から１０．５[ｍｍ]だけ予め移動させる。
なお、実際に穿孔ユニットがパンチ穴を開ける位置は、後述する調整量を理論値移動量から増減した位置となる。
【００４７】
図７に戻り、後処理制御部２６は、待機位置までの移動が完了したか否か判断する（ステップＳ２５）。
移動が完了していない場合（ステップＳ２５；Ｎ）、後処理制御部２６は、穿孔ユニットを待機位置まで移動させる処理を継続する。
移動が完了した場合（ステップＳ２５；Ｙ）、後処理制御部２６は、穿孔ユニット待機位置移動処理を終了する。
【００４８】
図９に、穿孔ユニット待機位置移動処理を説明する概念図を示す。
図９に示す概念図は、用紙Ｐの表面（又は裏面）を上方から見下ろした図である。
用紙Ｐは、ローラＲによって搬送方向Ｘの方向に搬送される。
穿孔ユニットＵは端面検知器Ｄを備えており、端面検知器Ｄは用紙Ｐの端面ＥＤＧを検出する。穿孔ユニットＵは、用紙Ｐの搬送が完了するまでに、端面ＥＤＧを起点としてテーブルＴ１から取得した理論値移動量（図８参照）だけ移動方向Ｙに移動して待機する。
待機位置での穿孔ユニットＵによる穿孔予定位置ＢＰは、理論的に、センター位置Ｃに対して線対称の位置となる。
【００４９】
図１０に、図９を別角度から見た穿孔ユニット待機位置移動処理を説明する概念図を示す。
図１０に示す概念図は、用紙Ｐの表面（又は裏面）に対して水平方向に見た図であり、用紙Ｐの搬送方向Ｘの方向に向けて見た図である。
【００５０】
図１０Ａに示す概念図は、穿孔ユニットＵの移動前の状態を示す図である。
穿孔ユニットＵは、端面検知器Ｄによって、端面検知器Ｄが用紙Ｐの端面ＥＤＧ上に位置するようにセットされる。
図１０Ｂに示す概念図は、穿孔ユニットＵの移動後の状態を示す図である。
穿孔ユニットＵは、端面検知器Ｄが端面ＥＤＧから理論値移動量Ｙ１だけ移動する。
穿孔部ＵＰは、穿孔ユニットＵに備えられており、用紙Ｐに対してパンチ穴を開ける部分である。移動後の２つの穿孔部ＵＰの位置とセンター位置Ｃとの間の距離は、理論的に、等距離（センター間距離ＣＹ１＝センター間距離ＣＹ２）となる。
【００５１】
図１１に、用紙情報に基づく穿孔ユニット待機位置移動処理を示す。
なお、ステップＳ３１〜Ｓ３２までは、図７のステップＳ２１〜Ｓ２２と同様であるため、ここでの説明は省略する。
後処理制御部２６は、取得した用紙サイズの情報に基づいて、待機位置までの移動量を取得する（ステップＳ３３）。
【００５２】
図１２に、用紙情報に基づく移動量取得処理を示す。
後処理制御部２６は、記憶部２７に記憶されているテーブルＴ１（図８参照）から、理論値移動量を取得し（ステップＳ３０１）、更に調整量を取得する（ステップＳ３０２）。
【００５３】
図１３に、調整量取得処理を示す。
後処理制御部２６は、用紙情報（図２参照）を取得し、パンチ穴を開ける用紙Ｐの紙種情報、斤量情報及び紙目情報を取得する（ステップＳ３１１、Ｓ３１２、Ｓ３１３）。
後処理制御部２６は、紙種情報、斤量情報及び紙目情報に基づいて調整量を決定し（ステップＳ３１４）、調整量取得処理を終了する。
なお、調整量の情報は、紙種情報、斤量情報及び紙目情報とがそれぞれ対応付けられて記憶部２７に予め記憶されている。
【００５４】
図１４に、調整量と紙種情報、斤量情報及び紙目情報とが対応付けられたテーブルＴ２を示す。
テーブルＴ２によれば、例えば紙種が普通紙、斤量が７０[ｇ／ｍ2]、紙目が縦目である場合、調整量は＋２．０[ｍｍ]となる。
【００５５】
図１２に戻り、後処理制御部２６は、ステップＳ３０１で取得した理論値移動量に、ステップＳ３０２で取得した調整量を加えて用紙情報に基づく移動量を決定し（ステップＳ３０３）、用紙情報に基づく移動量取得処理を終了する。
【００５６】
図１１に戻り、後処理制御部２６は、穿孔ユニットＵをステップＳ３３で取得した移動量だけ移動させ（ステップＳ３４）、移動が完了したか否か判断する（ステップＳ３５）。
移動が完了していない場合（ステップＳ３５；Ｎ）、後処理制御部２６は、穿孔ユニットＵを所定の位置まで更に移動させる。
移動が完了した場合（ステップＳ３５；Ｙ）、後処理制御部２６は、用紙情報に基づく穿孔ユニット待機位置移動処理を終了する。
【００５７】
図１５に、用紙情報に基づく穿孔ユニット待機位置移動処理を説明する概念図を示す。
図１５に示す概念図は、用紙Ｐの表面（又は裏面）に対して水平方向に見た図であり、用  紙Ｐの搬送方向Ｘの方向に向けて見た図である。また、図１５に示す概念図は、用紙情報に基づいて穿孔ユニットＵを移動させた後の状態を示す図である。
図１５に示すように、用紙Ｐは、実際には多少カールして搬送されてくる。なお、カールの量は、紙目や紙種等によって異なる。従って、穿孔ユニットＵを理論値移動量Ｙ１だけ移動させた場合、２つの穿孔部ＵＰの位置とセンター位置Ｃとの間の距離は等距離とならない。
本実施形態では、穿孔ユニットＵの移動量を理論値移動量Ｙ１＋調整量Ｙ２とすることで、穿孔ユニットＵは適切な位置（センター間距離ＣＹ１１＝センター間距離ＣＹ２２）に移動して待機する。
【００５８】
図１６〜図１９を参照して、後処理が折り処理である場合について説明する。
図１６に、紙目情報に基づく折り処理を示す。
後処理制御部２６は、画像形成装置１０から表紙用の用紙（以下、「カバーシート」という）が搬送されてきたか否か判断する（ステップＳ５１）。
搬送されてない場合（ステップＳ５１；Ｎ）、後処理制御部２６は、搬送されてくるまで待機する。
搬送されてきた場合（ステップＳ５１；Ｙ）、後処理制御部２６は、紙目情報を取得する（ステップＳ５２）。
後処理制御部２６は、取得した紙目情報に基づいて、折りローラ速度設定処理を行う（ステップＳ５３）。
【００５９】
図１７に、折りローラ速度設定処理を示す。
後処理制御部２６は、紙目情報に基づいて、搬送されてきたカバーシートの紙目が縦目か横目か判断する（ステップＳ５３１）。
横目である場合（ステップＳ５３１；横目）、後処理制御部２６は、折りローラの回転速度をパターン１に設定して（ステップＳ５３２）、折りローラ速度設定処理を終了する。
縦目である場合（ステップＳ５３１；縦目）、後処理制御部２６は、折りローラの回転速度をパターン２に設定して（ステップＳ５３３）、折りローラ速度設定処理を終了する。
【００６０】
図１８に、紙目と折りローラの回転速度とが対応付けられたテーブルＴ３を示す。
テーブルＴ３によれば、用紙Ｐの紙目が横目である場合、折りローラの回転速度はパターン１に設定される。パターン１では、折りローラの回転速度が４００[rpm]から１０００[rpm]に切り替わる。また、パターン１では、後述する折りナイフ突き当て時間が５００[ms]に設定される。
用紙Ｐの紙目が縦目である場合、折りローラの回転速度はパターン２に設定される。パターン２では、折りローラの回転速度が２００[rpm]、４００[rpm]、１０００[rpm]と段階的に切り替わる。また、パターン２では、後述する折りナイフ突き当て時間が８００[ms]に設定される。
【００６１】
後処理制御部２６は、折りローラ速度設定処理を行った後、折りナイフ突き当て時間設定処理を行う（ステップＳ５４）。
【００６２】
図１９に、折りナイフ突き当て時間設定処理を示す。
後処理制御部２６は、紙目情報に基づいて、搬送されてきたカバーシートの紙目が縦目か横目か判断する（ステップＳ５４１）。
横目である場合（ステップＳ５４１；横目）、後処理制御部２６は、テーブルＴ３を参照し、折りナイフ突き当て時間を５００[ms]に設定して（ステップＳ５４２）、折りナイフ突き当て時間設定処理を終了する。
縦目である場合（ステップＳ５４１；縦目）、後処理制御部２６は、テーブルＴ３を参照し、折りナイフ突き当て時間を８００[ms]に設定して（ステップＳ５４３）、折りナイフ突き当て時間設定処理を終了する。
【００６３】
後処理制御部２６は、紙目情報に基づいて設定した折りローラ速度（ステップＳ５３）及び折りナイフ突き当て時間（ステップＳ５４）に基づいて、折り処理を行う（ステップＳ５５）。
後処理制御部２６は、折り処理が完了したか否か判断する（ステップＳ５６）。
完了していない場合（ステップＳ５６；Ｎ）、後処理制御部２６は、完了するまで折り処理を実行する。
完了した場合（ステップＳ５６；Ｙ）、後処理制御部２６は、折り処理を終了する。
【００６４】
図２０〜図２３を参照して、後処理が糊塗布処理である場合について説明する。
図２０に、紙目情報に基づく糊塗布処理を示す。
後処理制御部２６は、画像形成装置１０からカバーシートが搬送されてきたか否か判断する（ステップＳ６１）。
搬送されてない場合（ステップＳ６１；Ｎ）、後処理制御部２６は、搬送されてくるまで待機する。
搬送されてきた場合（ステップＳ６１；Ｙ）、後処理制御部２６は、搬送されてきたカバーシートの紙目情報を取得する（ステップＳ６２）。
後処理制御部２６は、取得した紙目情報に基づいて、糊塗布制御設定処理を行う（ステップＳ６３）。
【００６５】
図２１に、糊塗布制御設定処理を示す。
後処理制御部２６は、紙目情報に基づいて、搬送されてきたカバーシートの紙目が縦目か横目か判断する（ステップＳ６３１）。
横目である場合（ステップＳ６３１；横目）、後処理制御部２６は、糊ローラの往復回数ｎをｎ＝１に設定して（ステップＳ６３２）、糊塗布制御設定処理を終了する。
縦目である場合（ステップＳ６３１；縦目）、後処理制御部２６は、糊ローラの往復回数ｎをｎ＝ｎ＋１に設定して（ステップＳ６３３）、糊塗布制御設定処理を終了する。
【００６６】
図２２に、紙目と糊塗布回数とが対応付けられたテーブルＴ４を示す。
カバーシートの紙目が横目である場合、糊塗布回数は１回に設定される。つまり、糊ローラの往復回数ｎは、ｎ＝１に設定される。
カバーシートの紙目が縦目である場合、糊塗布回数は２回に設定される。つまり、糊ローラの往復回数ｎは、ｎ＝２に設定される。
【００６７】
図２３に、カバーシートの紙目と糊付けとの関係を説明する図を示す。
図２３Ａは、カバーシートが縦目である場合を示す。折り方向が紙目と垂直になるため折りが甘くなり、糊付けも甘くなる。
図２３Ｂは、カバーシートが横目である場合を示す。折り方向が紙目と平行になるため折り精度が上がり、糊付けし易くなる。
【００６８】
後処理制御部２６は、紙目情報に基づいて設定した糊ローラの往復回数分だけ、糊ローラを往復させる処理を行い（ステップＳ６４）、その後、折り処理を行う（ステップＳ６５）。
後処理制御部２６は、糊塗布処理が完了したか否か判断する（ステップＳ６６）。
完了していない場合（ステップＳ６６；Ｎ）、後処理制御部２６は、ステップＳ６４に移行して、糊ローラの往復処理及び折り処理を継続する。
完了した場合（ステップＳ６５；Ｙ）、後処理制御部２６は、糊塗布処理を終了する。
【００６９】
図２４、図２５を参照して、後処理が断裁処理である場合について説明する。
図２４に、紙目情報に基づく断裁処理を示す。
後処理制御部２６は、画像形成装置１０から用紙Ｐが搬送されてきたか否か判断する（ステップＳ７１）。
搬送されてない場合（ステップＳ７１；Ｎ）、後処理制御部２６は、搬送されてくるまで待機する。
搬送されてきた場合（ステップＳ７１；Ｙ）、後処理制御部２６は、搬送されてきた用紙Ｐの紙目情報を取得する（ステップＳ７２）。
後処理制御部２６は、取得した紙目情報に基づいて、断裁時電流値設定処理を行う（ステップＳ７３）。
【００７０】
図２５に、断裁時電流値設定処理を示す。
後処理制御部２６は、紙目情報に基づいて、搬送されてきた用紙Ｐの紙目が縦目か横目か判断する（ステップＳ７３１）。
横目である場合（ステップＳ７３１；横目）、後処理制御部２６は、断裁時の電流値を０．５[A]に設定して（ステップＳ７３２）、断裁時電流値設定処理を終了する。
縦目である場合（ステップＳ７３１；縦目）、後処理制御部２６は、断裁対象となる断裁束枚数が２０枚以上であるか否か判断する（ステップＳ７３３）。
【００７１】
断裁束枚数が２０枚以上でない場合（ステップＳ７３３；Ｎ）、後処理制御部２６は、ステップＳ７３２に移行する。
断裁束枚数が２０枚以上である場合（ステップＳ７３３；Ｙ）、後処理制御部２６は、断裁時の電流値を０．７５[A]に設定して（ステップＳ７３４）、断裁時電流値設定処理を終了する。
【００７２】
図２６に、紙目と断裁時電流値とが対応付けられたテーブルＴ５を示す。
用紙Ｐの紙目が横目である場合、断裁時電流値は０．５[A]に設定される。また、用紙Pの紙目が縦目である場合、断裁時電流値は０．５[A]又は０．７５[A]に設定される。
【００７３】
後処理制御部２６は、用紙Ｐの紙目及び断裁束枚数に基づいて設定した断裁時電流値によって、搬送されてきた用紙Pを断裁処理する（ステップＳ７４）。
後処理制御部２６は、断裁処理が完了したか否か判断する（ステップＳ７５）。
完了していない場合（ステップＳ７５；Ｎ）、後処理制御部２６は、ステップＳ７４に移行して、断裁処理を継続する。
完了した場合（ステップＳ７５；Ｙ）、後処理制御部２６は、紙目情報に基づく断裁処理を終了する。
【００７４】
以上のように、本実施形態によれば、給紙トレイ４ごとに設定される用紙の紙目の情報に基づいて、後処理の際に用いる各種調整量を切り替えることができる。よって、高品質の後処理成果物を生成することができる。
【００７５】
また、後処理の際に用いる各種調整量は、用紙の紙目の情報に対応付けられて、テーブルに格納されている。よって、後処理の内容に応じて各種テーブルを参照することで、適切な後処理を実行することができる。なお、各種調整量は、紙目情報を含む用紙情報に基づいた演算により算出されるとしてもよい。
【００７６】
また、用紙情報に基づいて調整量を切り替え可能な後処理には、パンチ処理、折り処理、糊塗布処理、及び断裁処理のうち、少なくとも一つが含まれる。
【００７７】
また、パンチ処理、折り処理、糊塗布処理、及び断裁処理の全てが可能な後処理装置である場合、後処理の内容に応じて調整量を切り替えることができる。
【００７８】
また、後処理がパンチ処理である場合、用紙情報に基づいて、パンチ穴の位置を調整することができる。
【００７９】
また、後処理が折り処理である場合、用紙情報に基づいて、折りローラの速度及び折りナイフの突き当て時間を調整することができる。
【００８０】
また、後処理が糊塗布処理である場合、用紙情報に基づいて、糊塗布回数を調整することができる。
【００８１】
また、後処理が断裁処理である場合、用紙情報に基づいて、断裁時に用いる電流値を調整することができる。
【図面の簡単な説明】
【００８２】
【図１】画像形成システムの概略断面図である。
【図２】給紙トレイの設定画面の一例を示す図である。
【図３】画像形成システムの制御ブロック図である。
【図４】コピー時画像形成処理を示すフロー図である。
【図５】給紙トレイ選択処理を示すフロー図である。
【図６】プリント時画像形成処理を示すフロー図である。
【図７】穿孔ユニット待機位置移動処理を示すフロー図である。
【図８】待機位置までの理論値移動量と用紙サイズとが対応付けられたテーブルである。
【図９】穿孔ユニット待機位置移動処理を説明する概念図である。
【図１０Ａ】穿孔ユニット待機位置移動処理を説明する概念図である。
【図１０Ｂ】穿孔ユニット待機位置移動処理を説明する概念図である。
【図１１】用紙情報に基づく穿孔ユニット待機位置移動処理を示すフロー図である。
【図１２】用紙情報に基づく移動量取得処理を示すフロー図である。
【図１３】調整量取得処理を示すフロー図である。
【図１４】用紙情報と調整量とが対応付けられたテーブルである。
【図１５】用紙情報に基づく穿孔ユニット待機位置移動処理を説明する概念図である。
【図１６】紙目情報に基づく折り処理を示すフロー図である。
【図１７】折りローラ速度設定処理を示すフロー図である。
【図１８】紙目情報と折り処理に費やす時間とが対応付けられたテーブルである。
【図１９】折りナイフ突き当て時間設定処理を示すフロー図である。
【図２０】紙目情報に基づく糊塗布処理を示すフロー図である。
【図２１】糊塗布制御設定処理を示すフロー図である。
【図２２】紙目情報と糊塗布回数とが対応付けられたテーブルである。
【図２３Ａ】カバーシートの紙目と糊付けとの関係を説明する図である。
【図２３Ｂ】カバーシートの紙目と糊付けとの関係を説明する図である。
【図２４】紙目情報に基づく断裁処理を示すフロー図である。
【図２５】断裁時電流値設定処理を示すフロー図である。
【図２６】紙目情報と断裁時電流値とが対応付けられたテーブルである。
【符号の説明】
【００８３】
１００  画像形成システム
１０    画像形成装置
１      読取部
２      画像形成部
２ａ    画像形成処理部
２ｂ    加熱定着部
３      搬送部
４      給紙トレイ
５      操作表示部
６      制御部
７      記憶部
８      通信部
２０    後処理装置
２１    パンチ処理部
２２    折り処理部
２３    糊塗布処理部
２４    断裁処理部
２５    排紙トレイ
２６    後処理制御部
２７    記憶部
２８    通信部
【図１】
2010001092.tif 000003
【図２】
2010001092.tif 000004
【図３】
2010001092.tif 000005
【図４】
2010001092.tif 000006
【図５】
2010001092.tif 000007
【図６】
2010001092.tif 000008
【図７】
2010001092.tif 000009
【図８】
2010001092.tif 000010
【図９】
2010001092.tif 000011
【図１０Ａ】
2010001092.tif 000012
【図１０Ｂ】
2010001092.tif 000013
【図１１】
2010001092.tif 000014
【図１２】
2010001092.tif 000015
【図１３】
2010001092.tif 000016
【図１４】
2010001092.tif 000017
【図１５】
2010001092.tif 000018
【図１６】
2010001092.tif 000019
【図１７】
2010001092.tif 000020
【図１８】
2010001092.tif 000021
【図１９】
2010001092.tif 000022
【図２０】
2010001092.tif 000023
【図２１】
2010001092.tif 000024
【図２２】
2010001092.tif 000025
【図２３Ａ】
2010001092.tif 000026
【図２３Ｂ】
2010001092.tif 000027
【図２４】
2010001092.tif 000028
【図２５】
2010001092.tif 000029
【図２６】
2010001092.tif 000030